(57)【要約】　　　（修正有）【課題】滑り易いところでも、松葉づえの使用が適確に行えて、石突きの滑りにより、松葉づえが急に外されたような状態となることがないようにする。【解決手段】松葉づえＡの下端部に装設する石突き４の底面に、それぞれ下方に突出する複数の突起部ａ…を、それらの突出高さｈが、外縁側に位置する突起部ａから中央部側に位置する突起部ａに向けて順次高くなるように階段状に装設し、かつ、それら突起部ａ…の各突出高さｈを、それらの各外縁側のエッジ部位が、水平な面ｙに対して所定の勾配で傾く直線の仮想線ｗ上に位置してくるように設定する。【選択図】　　図５
0003098633.tif 000002
【実用新案登録請求の範囲】
【請求項１】
松葉づえＡの下端部に装設する石突き４の底面に、それぞれ下方に突出する複数の突起部ａ…を、それらの突出高さｈが、外縁側に位置する突起部ａから中央部側に位置する突起部ａに向けて順次高くなるように階段状に装設し、かつ、それら突起部ａ…の各突出高さｈを、それらの各外縁側のエッジ部位が、水平な面ｙに対して所定の勾配で傾く直線の仮想線ｗ上に位置してくるように設定することを特徴とする松葉づえ。
【請求項２】
石突き４を、天然ゴム材・合成樹脂材等の柔軟な素材により、松葉づえＡの脚柱３の下端部に対し嵌合する鞘状乃至キャップ状に成形し、それの底面に、下方に向けて突出する複数の突起部ａ…を、底面視において石突き４の底面の中央部中心とする同心円状に並列する環状で側面視において外縁側から中心側に向けて順次高くなる階段状をなすよう成形し、それら突起部ａ…のそれぞれの突出高さｈを、それらの外縁側のエッジ部位が水平な面ｙに対し所定の勾配で傾く直線の仮想線ｗ上に位置してくるように設定することを特徴とする請求項１記載の松葉づえ。
【請求項３】
石突き４の底面に、同心円状に並列する環状に成形する複数の突起部ａ…のそれぞれの内側位置に、断面が略Ｖ字状をなすＶ溝ｂを環状に装設しておくことを特徴とする請求項２記載の松葉づえ。
【請求項４】
石突き４の底面に、同心円状に並列する環状に形成する複数の突起部ａ…の突出側の端面に、刻み目ｃを刻設することを特徴とする請求項２または請求項３記載の松葉づえ。
【考案の詳細な説明】
【０００１】
【考案の属する技術分野】
本考案は、足の不自由な人が、歩行の補助用に用いる松葉づえに係り、特に、それの石突きについての改良に関する。
【０００２】
【従来の技術】
足の不自由な人が、歩行の補助用に用いられている松葉づえＡは、通常、図１にあるように、松葉状に一対に対向する支柱１０・１０により組み立てられる杖主体１の上端側に、脇の下に当てる枕状の脇当て２を取り付け、対向間隔が閉じ合わされる一対の支柱１０・１０の下端側に、脚柱３を接続し、その脚柱３の下端に、石突き４を装設することで構成される。
【０００３】
そして、その脚柱３の下端に装設する石突き４は、通常、ゴム材・ウレタン樹脂材などの耐摩耗の資材により、図２・図３に示しているように、脚柱３の外周に対して嵌合する鞘状乃至キャップ状に成形して、これを、脚柱３の下端に、被せるように嵌合して装着することで構成されている。
【０００４】
【考案が解決しようとする課題】
松葉づえには、それを使用するときの、少しの不注意で、使用する人に転倒による大きな傷害事故を生ぜしめる問題がある。
【０００５】
松葉づえを使用する人は、例えば、右側の足に不自由のある場合についていえば、右側の松葉づえを地面につくときに、その右側の松葉づえに、殆どの体重をかけるようにする。
【０００６】
このため、不自由な右側の足を補助する右側の松葉づえを、右手で持って、下端の石突きを接地させたとき、その松葉づえをついたところが、ぬかっていたり、または、油をひいた床や、石けんで濡れた浴場のタイルや、雨天のときの濡れた路面など、滑り易いところであったとき、ついた松葉づえの地面または床面の支え面に対する角度の僅かのちがいで、ついた松葉づえの先の石突きが支え面を滑って、松葉づえが急に外された状態となり、支えを失った使用者が激しく転倒するようになって、骨折などの傷害を生ぜしめるようになる場合がある。
【０００７】
本考案は、松葉づえを使用する際に生じている上述の問題に対処するためになされたものであって、滑り易いところでも、松葉づえの使用が適確に行えて、石突きの滑りにより、松葉づえが急に外されたような状態となることがないようにすることを目的とするものである。
【０００８】
【課題を解決するための手段】
しかして、本考案は、上述の目的のために、松葉づえについて、特に、松葉づえを手で操作して下端の石突きを接地させ、松葉づえにより体重を支えさせていくときの、石突きの、地面・床面などの支え面に対する接触状態について、種々の検討を加えて得られた知見に基づいて完成したものである。
【０００９】
即ち、松葉づえＡを、それの下端の石突き４の底面を地面・床面の支え面５に当接させて、体重を支える杖としてついたとき、その地面・床面の支え面５に当接させた石突き４が、支え面５に当接させた位置から滑り出して、体重を支える松葉づえＡが、急に外されたような状態となるようになるのは、松葉づえＡをついて歩き出すとき、踏み出す足のように、松葉づえを体の前につくことで、少し傾斜した姿勢でつくことと、石突き４が、通常、図２または、図３に示している形状となっていることで、松葉づえＡを支え面５に対し傾斜させてついたときに、前述の図２・図３において鎖線で示しているように支え面５が石突き４の底面に対して傾斜することによって、その石突き４の底面が支え面５に対して一点による点接触に近い状態となって、石突き４の底面と支え面５の間の接触抵抗が殆ど無い状態となっていること、このとき、支え面５が濡れているなどで、摩擦抵抗が零に近い状態となっていることにより相乗的に生じているものであることが判ってきた。
【００１０】
そこで、石突き４の底面を、図４にあるように、階段状に成形しておいて、石突き４の底面が支え面５に対して、傾斜して当接したときに、その支え面５に対し石突き４の底面が複数の個所において接触するようにしたところ、支え面５が濡れたタイルの床面のように滑り易い面であっても、石突き４の底面が支え面５に対して、接着するように馴染んで、滑りの発生を効果的に抑止するようになる結果が得れれた。
【００１１】
そして、このことから、本考案においては、上述の目的を達成するための手段として、松葉づえＡの下端部に装設する石突き４の底面に、それぞれ下方に突出する複数の突起部ａ…を、それらの突出高さｈが、外縁側に位置する突起部ａから中央部側に位置する突起部ａに向けて順次高くなるように階段状に装設し、かつ、それら突起部ａ…の各突出高さｈを、それらの各外縁側のエッジ部位が、水平な面ｙに対して所定の勾配で傾く直線の仮想線ｗ上に位置してくるように設定することを特徴とする松葉づえを提起するものである。また、これに併せて、石突き４を、天然ゴム材・合成樹脂材等の柔軟な素材により、松葉づえＡの脚柱３の下端部に対し嵌合する鞘状乃至キャップ状に成形し、それの底面に、下方に向けて突出する複数の突起部ａ…を、底面視において石突き４の底面の中央部中心とする同心円状に並列する環状で側面視において外縁側から中心側に向けて順次高くなる階段状をなすよう成形し、それら突起部ａ…のそれぞれの突出高さｈを、それらの外縁側のエッジ部位が水平な面ｙに対し所定の勾配で傾く直線の仮想線ｗ上に位置してくるように設定することを特徴とする請求項１記載の松葉づえを提起するものである。
【００１２】
【考案の実施の形態】
次に本考案の実施の態様を、図面に随い実施例について詳述する。
図５は、本考案手段を実施せる松葉づえＡの全体の概要図であり、図において、１は杖主体、２はその杖主体１の上端側に組み付けた脇当て、３は杖主体１の下端側に接続した脚柱、４はその脚柱３の下端に装着した石突きを示す。
【００１３】
松葉づえＡは、この例においては、杖主体１を、松葉状に一対に対向させた支柱１０・１０間に、操作するための握り杆１１を渡架して、それの連結により組み立て、その杖主体１の一対の支柱１０・１０の対向間隔が開いた上端側に脇当て２を渡架するように組み付け、杖主体１を構成する一対の支柱１０・１０の対向間隔が閉じ合わされた下端側に、脚柱３の上半側を狭持せしめて、連結金具１２・１２により閉じ合わせて脚柱３を杖主体１に連結装着し、その脚柱３の下端に、天然ゴム・合成ゴム等の資材により別に成形しておく石突き４を装着することで構成しているが、松葉づえＡ自体の構成はどのようになっていてもよく、適宜に構成してよい。
【００１４】
この松葉づえＡの下端に装設する石突き４も、例えば、杖主体１の下端側に組み付ける脚柱３を、鋼材・合成樹脂材のように、耐摩耗性のある素材で成形する場合にあっては、その脚柱３の下端側に該石突き４を一体に連続するように成形して装設してよい。
【００１５】
しかし、松葉づえＡの下端に、脚柱３と一体にまたは脚柱３と別体に形成して嵌装により装設する石突き４は、それの底面を、図６に示しているように、それの底面の中央部位に向け、突出高さがｈ段階的に順次高くなる突起部ａ…を階段状に形成する。
【００１６】
そして、この石突き４の底面に形成する階段状の突起部ａ…の突出高さｈは、一定の条件に従うように設定する。
【００１７】
図７乃至図１０は、ゴム材により松葉づえＡの脚柱３と別に成形してその脚柱３の下端に装設するようにした実施例の石突き４を示している。この実施例について具体的にいえば、ａ１は、石突き４の底面の外周側に寄る部位に環状に装設した第１の突起部、ａ２はその第１の突起部ａ１の内側に環状に装設した第２の突起部、ａ３はその第２の突起部ａ２の内側の底面の中央部位に円盤状に装設した第３の突起部であるが、これら第１・第２・第３の突起部ａ１・ａ２・ａ３を、それらの外縁側のエッジ部位が、図８において鎖線の仮想線ｗで示しているように、一つの直線上に揃うように突出高さｈ…を設定しておき、これにより、松葉づえＡを、それの石突き４の底面が床面等の支え面５に対して、前述の鎖線の仮想線ｗが支え面５と平行する角度に傾斜させて当接させたときに、その支え面５に各突起部ａ…の外縁側のエッジ部位が当接していくようにする。
【００１８】
この図７〜図１０に示している実施例の石突き４は、それの底面の支え面５に対する接触面を広くするために、石突き４の、脚柱３の下端部に嵌合させる嵌合筒部４０の下端側を下方に向け順次拡径させて、底面の外径が４５ミリとなるように形成してあり、それの底面に、突起部ａ…が、外周側から順に、環状の第１の突起部ａ１と第２の突起部ａ２と第３の突起部ａ３として、同心円状に配設され、かつ、それら突起部ａ…が、それぞれ２ミリづつ高くなるように形成してある。
【００１９】
そして、この実施例は、各突起部ａ１・ａ２・ａ３の外縁側のエッジを結ぶ前述の仮想線ｗと、松葉づえＡを垂直な姿勢として石突き４の底面の中央部位の平らな接地面を水平な面に沿わせたときの、その水平な面ｙとの傾斜角度αが略１６度となるように設定してあって、松葉づえＡを床面の支え面５に対してこの傾斜角度αに傾斜させて石突き４の底面を支え面５に当接させたときに、各突起部ａ１・ａ２・ａ３の外縁側のエッジ部分が支え面５に対して同時に接触していくようにしてある。
【００２０】
また、この例においては、第１・第２・第３の各突起部ａ…の巾が約５ミリで、それらの間には巾２ミリで深さが２ミリのＶ溝ｂが形設してあり、かつ、平盤状をなす中央部位の突起部ａにも、５ミリ巾で内側に寄る部位に、２ミリの深さのＶ溝ｂが形設してあって、各環状の突起部ａ１・ａ２・ａ３が支え面５に接触したときの接触圧によってその各突起部が変形して接触面積を増大させていくのが効果的に行われるようにしている。
【００２１】
次に、図１１乃至図１４に示す実施例は、石突き４の底面側を、外径が５０ミリとなるように成形している例であり、各突起部ａ１・ａ２・ａ３の突出高さｈと巾およびＶ溝ｂ…の巾と深さについては、前述の図７〜図１０にある実施例と同様に形成してある。
【００２２】
次に、図１５は、各突起部ａ１・ａ２・ａ３の突出高さｈを１ミリとし、それら突起部の外縁側のエッジを結ぶ仮想線ｗの水平な面ｙに対する傾斜角度αが、略８度となるようにしている例である。この実施例においても、同心円状の環状に形設する第１・第２・第３の各突起部ａ１・ａ２・ａ３の内側位置には、環状のＶ溝ｂが刻設され、また、各突起部ａ１・ａ２・ａ３の各突出端面には、前述の図７〜図１０および図１１〜図１４に示した実施例のものと同様に、支え面５との接触時の摩擦を増大させるための刻み目ｃが、適宜の配列パターンにより形設してある。
【００２３】
次に図１６に示す実施例は、第１・第２・第３の各突起部ａ１・ａ２・ａ３の突出高さｈを略３ミリとして、それらの外縁側のエッジ部分を結ぶ仮想線ｗが水平な面ｙに対して略２３度の傾斜角度αとなるようにしている例であり、また、図１７に示す実施例は、第１・第２・第３の各突起部ａ１・ａ２・ａ３の突出高さｈを略４ミリとして、それらの外縁側のエッジ部位を結ぶ仮想線ｗの水平な面ｙに対する傾斜角度αが略３０度となるようにしている例であり、また、図１８に示している実施例は、各突起部ａ１・ａ２・ａ３の突出高さｈを略５ミリとして、それらの外縁側のエッジ部位を結ぶ仮想線ｗの水平な面ｙに対する傾斜角度αが略３５度となるようにしている例である。
【００２４】
このように、石突き４の底面に、それの中心側に向け順次高くなる階段状に設ける複数の突起部ａ…は、それらの外縁側のエッジ部位を結ぶ仮想線ｗが、松葉づえＡを垂直についたときの中心線ｚと直交する水平な面ｙに対し所定の傾斜角度αで傾くようにするが、その勾配は前述の各実施例に示しているように適宜に選択してよい。
【００２５】
しかし、実際に合成ゴム材で石突き４を成形してテストした結果からいえば、図８・図１２で示している突出部ａ…の突出高さｈが２ミリ程度の例のものがよく、従って、仮想線ｗの勾配が１５度程度となるものがよい。
【００２６】
【考案の効果】
以上説明したように、本考案による松葉づえは、歩き出すために松葉づえＡを、体の前方位置に少し傾斜させた姿勢として支え面５についたとき、石突き４の底面に階段状に突出するよう形成した複数の突起部ａ…のそれぞれが、支え面５に対して同時に接当していくようになることで、石突き４の底面が支え面５に馴染んだ状態として接触していくようになるので、支え面５についた松葉づえＡが、支え面５に対して滑り出していくようになるのを効果的に抑止し得るようになって、安全に使用できるようになる。
【図面の簡単な説明】
【図１】従前の松葉づえの全体の正面図である。
【図２】同上の松葉づえに使用されている従前の石突きの正面図である。
【図３】同上の石突きの縦断正面図である。
【図４】従前の石突きの別の例の正面図である。
【図５】本考案による石突きの正面図である。
【図６】本考案を実施せる松葉づえの全体の正面図である。
【図７】同上の松葉づえに装着せる石突きの正面図である。
【図８】同上石突きの縦断正面図である。
【図９】同上石突きの底面図である。
【図１０】同上石突きの底面の部分の拡大図である。
【図１１】同上の別の実施例の石突きの正面図である。
【図１２】同上実施例の石突きの縦断正面図である。
【図１３】同上実施例の石突きの底面図である。
【図１４】同上実施例の石突きの底面の部分の拡大図である。
【図１５】同上の別の実施例の石突きの縦断正面図である。
【図１６】同上のさらに別の実施例の石突きの縦断正面図である。
【図１７】さらに異なる実施例の石突きの縦断正面図である。
【図１８】さらに別の実施例の石突きの縦断正面図である。
【符号の説明】
Ａ…松葉づえ、ａ…突起部、ｂ…Ｖ溝、ｃ…刻み目、ｈ…突出高さ、ｙ…水平な面、ｚ…中心線、ｗ…仮想線、α…傾斜角度、１…杖主体、１０…支柱、１１…握り杆、１２…連結金具、２…脇当て、３…脚柱、４…石突き、４０…嵌合筒部、５…支え面。
【図１】
0003098633.tif 000003
【図２】
0003098633.tif 000004
【図３】
0003098633.tif 000005
【図４】
0003098633.tif 000006
【図５】
0003098633.tif 000007
【図６】
0003098633.tif 000008
【図７】
0003098633.tif 000009
【図８】
0003098633.tif 000010
【図９】
0003098633.tif 000011
【図１０】
0003098633.tif 000012
【図１１】
0003098633.tif 000013
【図１２】
0003098633.tif 000014
【図１３】
0003098633.tif 000015
【図１４】
0003098633.tif 000016
【図１５】
0003098633.tif 000017
【図１６】
0003098633.tif 000018
【図１７】
0003098633.tif 000019
【図１８】
0003098633.tif 000020